【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
複数の画像を、水平方向及び垂直方向の少なくともいずれかの方向に並べて配置したマルチ表示画像を生成する画像処理装置であって、
画像と、当該画像に含まれる予め定められた複数の部分領域の位置及び解像度の情報とを受信する受信手段と、
前記受信手段により受信された画像に含まれる複数の部分領域のうち、２以上の部分領域を選択する選択手段と、
前記選択手段により選択された前記２以上の部分領域それぞれに含まれる画像を、当該部分領域の位置及び解像度の情報に基づいて前記受信された画像から切り出す切り出し手段と、
前記２以上の部分領域の水平位置及び垂直位置の少なくともいずれかの位置関係を維持するように、前記切り出し手段により切り出された前記２以上の部分領域の画像を配置した前記マルチ表示画像を生成する生成手段と、
を備えることを特徴とする画像処理装置。
【請求項２】
前記生成手段は、前記２以上の部分領域それぞれの中心点間を結ぶベクトルの方向を維持するように、前記２以上の部分領域の画像を配置することを特徴とする請求項１に記載の画像処理装置。
【請求項３】
前記切り出し手段は、前記選択手段により選択された前記２以上の部分領域に重複する領域が存在する場合は、当該重複する領域を有する全ての部分領域を包含する領域を、１つの部分領域として切り出すことを特徴とする請求項１または２に記載の画像処理装置。
【請求項４】
前記生成手段は、前記２以上の部分領域の位置関係を、当該２以上の部分領域それぞれの中心座標により判断することを特徴とする請求項１乃至３のいずれか１項に記載の画像処理装置。
【請求項５】
前記２以上の部分領域それぞれの画像を配置する前記マルチ表示画像上の領域を決定する決定手段と、
前記２以上の部分領域それぞれの画像を、前記決定手段により決定された領域の解像度に応じて変倍する変倍手段と、
をさらに備え、
前記決定手段は、前記２以上の部分領域の数以上となるように、水平方向及び垂直方向の少なくともいずれかの方向において、前記マルチ表示画像を等分割して得られる領域を、前記２以上の部分領域それぞれの画像を配置するマルチ表示画像上の領域として決定し、
前記変倍手段は、水平方向あるいは垂直方向の少なくとも一方において前記等分割して得られる領域の解像度と等しい解像度を有し、かつ、水平方向及び垂直方向の両方において前記等分割して得られる領域を超えない解像度を有するように、前記２以上の部分領域それぞれの画像を変倍し、
前記生成手段は、前記変倍手段により変倍された前記２以上の部分領域の画像を用いた前記マルチ表示画像を生成することを特徴とする請求項１乃至４のいずれか１項に記載の画像処理装置。
【請求項６】
前記２以上の部分領域それぞれの画像を配置する前記マルチ表示画像上の領域を決定する決定手段と、
前記２以上の部分領域それぞれの画像を、前記決定手段により決定された領域の解像度に応じて変倍する変倍手段と、
をさらに備え、
前記決定手段は、前記２以上の部分領域の数以上となるように、水平方向及び垂直方向の少なくともいずれかの方向において、前記２以上の部分領域それぞれの当該方向の解像度比となるように前記マルチ表示画像を分割して得られる領域を、前記２以上の部分領域それぞれの画像を配置するマルチ表示画像上の領域として決定し、
前記変倍手段は、水平方向あるいは垂直方向の少なくとも一方において前記分割して得られる領域の解像度と等しい解像度を有し、かつ、垂直方向及び水平方向の両方において前記分割して得られる領域を超えない解像度を有するように、前記２以上の部分領域の画像の全てを同一の倍率で変倍し、
前記生成手段は、前記変倍手段により変倍された前記２以上の部分領域の画像を用いた前記マルチ表示画像を生成することを特徴とする請求項１乃至４のいずれか１項に記載の画像処理装置。
【請求項７】
前記切り出し手段は、前記変倍手段により変倍された前記２以上の部分領域それぞれの画像が前記決定手段により決定された領域の解像度とならない場合に、当該部分領域を含み、かつ、変倍後に前記決定された領域の解像度となるように、前記受信された画像から画像を切り出すことを特徴とする請求項５または６に記載の画像処理装置。
【請求項８】
複数の画像を、水平方向及び垂直方向の少なくともいずれかの方向に並べて配置したマルチ表示画像を生成する画像処理装置の制御方法であって、
受信手段が、画像と、当該画像に含まれる予め定められた複数の部分領域の位置及び解像度の情報とを受信する受信工程と、
選択手段が、前記受信工程において受信された画像に含まれる複数の部分領域のうち、２以上の部分領域を選択する選択工程と、
切り出し手段が、前記選択工程において選択された前記２以上の部分領域それぞれに含まれる画像を、当該部分領域の位置及び解像度の情報に基づいて前記受信された画像から切り出す切り出し工程と、
生成手段が、前記２以上の部分領域の水平位置及び垂直位置の少なくともいずれかの位置関係を維持するように、前記切り出し工程において切り出された前記２以上の部分領域の画像を配置した前記マルチ表示画像を生成する生成工程と、
を備えることを特徴とする画像処理装置の制御方法。
【請求項９】
前記生成手段は、前記生成工程において、前記２以上の部分領域それぞれの中心点間を結ぶベクトルの方向を維持するように、前記２以上の部分領域の画像を配置することを特徴とする請求項８に記載の画像処理装置の制御方法。
【請求項１０】
前記切り出し手段は、前記切り出し工程において、前記選択工程において選択された前記２以上の部分領域に重複する領域が存在する場合は、当該重複する領域を有する全ての部分領域を包含する領域を、１つの部分領域として切り出すことを特徴とする請求項８または９に記載の画像処理装置の制御方法。
【請求項１１】
前記生成手段は、前記生成工程において、前記２以上の部分領域の位置関係を、当該２以上の部分領域それぞれの中心座標により判断することを特徴とする請求項８乃至１０のいずれか１項に記載の画像処理装置の制御方法。
【請求項１２】
決定手段が、前記２以上の部分領域それぞれの画像を配置する前記マルチ表示画像上の領域を決定する決定工程と、
変倍手段が、前記２以上の部分領域それぞれの画像を、前記決定工程において決定された領域の解像度に応じて変倍する変倍工程と、
をさらに備え、
前記決定手段は、前記決定工程において、前記２以上の部分領域の数以上となるように、水平方向及び垂直方向の少なくともいずれかの方向において、前記マルチ表示画像を等分割して得られる領域を、前記２以上の部分領域それぞれの画像を配置するマルチ表示画像上の領域として決定し、
前記変倍手段は、前記変倍工程において、水平方向あるいは垂直方向の少なくとも一方において前記等分割して得られる領域の解像度と等しい解像度を有し、かつ、水平方向及び垂直方向の両方において前記等分割して得られる領域を超えない解像度を有するように、前記２以上の部分領域それぞれの画像を変倍し、
前記生成手段は、前記生成工程において、前記変倍工程において変倍された前記２以上の部分領域の画像を用いた前記マルチ表示画像を生成することを特徴とする請求項８乃至１１のいずれか１項に記載の画像処理装置の制御方法。
【請求項１３】
決定手段が、前記２以上の部分領域それぞれの画像を配置する前記マルチ表示画像上の領域を決定する決定工程と、
変倍手段が、前記２以上の部分領域それぞれの画像を、前記決定工程において決定された領域の解像度に応じて変倍する変倍工程と、
をさらに備え、
前記決定手段は、前記決定工程において、前記２以上の部分領域の数以上となるように、水平方向及び垂直方向の少なくともいずれかの方向において、前記２以上の部分領域それぞれの当該方向の解像度比となるように前記マルチ表示画像を分割して得られる領域を、前記２以上の部分領域それぞれの画像を配置するマルチ表示画像上の領域として決定し、
前記変倍手段は、前記変倍工程において、水平方向あるいは垂直方向の少なくとも一方において前記分割して得られる領域の解像度と等しい解像度を有し、かつ、垂直方向及び水平方向の両方において前記分割して得られる領域を超えない解像度を有するように、前記２以上の部分領域の画像の全てを同一の倍率で変倍し、
前記生成手段は、前記生成工程において、前記変倍工程において変倍された前記２以上の部分領域の画像を用いた前記マルチ表示画像を生成することを特徴とする請求項８乃至１１のいずれか１項に記載の画像処理装置の制御方法。
【請求項１４】
前記切り出し手段は、前記切り出し工程において、前記変倍工程において変倍された前記２以上の部分領域それぞれの画像が前記決定工程において決定された領域の解像度とならない場合に、当該部分領域を含み、かつ、変倍後に前記決定された領域の解像度となるように、前記受信された画像から画像を切り出すことを特徴とする請求項１２または１３に記載の画像処理装置の制御方法。
【請求項１５】
コンピュータを、請求項１乃至７のいずれか１項に記載の画像処理装置の各手段として機能させるためのプログラム。